(57)【特許請求の範囲】
【請求項１】
複数個の端子収容室を内部に備えたコネクタハウジングであって、前記各端子収容室の天井部から相手側端子の挿入する入口に向けて水平方向に延設するランスを備えたコネクタハウジングにおいて、
前記ランスの左右両側面とそれぞれ一体に形成されて前記左右両側面からそれぞれ前記ランスの前方と後方に延びて前記端子収容室底部に繋がる左右のアームと、
前記左右のアームのいずれか一方に形成した係止解除突起とを備え、
前記左右のアームの長さ、厚さ、幅のいずれか１つ以上を異ならせることによって、前記係止解除突起の設けられたアームの反力よりも反対側アームの反力を弱めたことを特徴とするコネクタハウジング。
【請求項２】
請求項１記載のコネクタハウジングに挿入された端子を抜くために用いられる抜き治具であって、前記入口から前記係止解除突起にまで達する長さの挿入部と、前記挿入部と一体結合する把持部とから成ることを特徴とする抜き治具。
【発明の詳細な説明】
【技術分野】
【０００１】
本発明は、両持ち支持のランスを内部に形成したコネクタハウジングおよびその抜き治具に関するものである。
【背景技術】
【０００２】
〈特許文献１記載の発明〉
両持ち支持のランスを内部に形成したコネクタハウジングは公知である（特許文献１参照）。
【先行技術文献】
【特許文献】
【０００３】
【特許文献１】特開２００３−４５５４４号公報
【０００４】
〈特許文献１のコネクタハウジング〉
特許文献１記載の発明は、コネクタハウジングの端子収容空間を構成する隔壁の一部が可撓性のランスの前半部を兼ね、前半部に交差してランスの後半部が傾斜状に形成され、その後半部の前端に端子係止面をランスの長手方向中央に配置した。ランスの前半部が一対対向して配設され、端子係止面を一対の前半部の間で端子収容空間の全幅に渡って位置し、ランスの側部の長手方向中央に治具棒の先端を押接させる係止解除部である突部を設けるようにしたものである。すなわち、この発明によれば、コネクタを小型化しつつ、高いランス係止力を維持するために、ランスから前方に向かって延出してキャビティ前方と繋がるアーム部を有しており、端子の係止を解除するためにランスの左右両側に係止解除用の突部を設けたので、ここを治具棒で押し上げることで係止を解除し、端子を抜くことができる。
【０００５】
〈特許文献１記載の発明の長所〉
特許文献１記載の発明によれば、ランスの前半部が隔壁と一体で隔壁の一部を兼ねるから、大きなスペースを必要とすることなく長いランスを得ることができ、この省スペース化によりコネクタハウジングが小型化されると共に、ランスが撓みやすくなり、端子挿入性が向上する。また、ランスの後半部の前端面が端子係止面を兼ねていることで係止突起が不要で、係止突起の突出高さ寸法分だけコネクタハウジングが小型化され、また、係止突起を用いずにアーム後半部の前端面で直接的に端子が係止されることで、係止の信頼性が向上する、といった効果が得られる。
【発明の概要】
【発明が解決しようとする課題】
【０００６】
しかしながら、コネクタの小型化が進み、キャビティ間のピッチが狭くなると、上記構造のようにランスの左右両側に係止解除用突部を設けることが困難になった。すなわち、左右方向へのスペースが減少することにより、射出成形で成形することが不可能なほど薄肉な形状や成形時の樹脂射出圧力に耐えられないほど薄肉な金型が生じてしまうこととなった。
【０００７】
〈本発明の目的〉
本発明は、上記課題を解決するためになされたもので、ランス係止力を高くすることができ、狭いピッチでも成立可能なキャビティ形状を備えたコネクタハウジングを提供することを目的としている。
【課題を解決するための手段】
【０００８】
本発明は上記課題を解決するためになされたもので、本発明に係るコネクタハウジングは、次ぎの（１）を特徴としている。
（１）複数個の端子収容室を内部に備え、かつ前記各端子収容室の天井部から相手側端子の挿入する入口に向けて水平方向に延設するランスを備えたコネクタハウジングにおいて、前記ランスの左右両側面とそれぞれ一体に形成されて前記左右両側面からそれぞれ前記ランスの前方と後方に延びて前記端子収容室底部に繋がる左右のアームと、前記左右のアームのいずれか一方に形成した係止解除突起とを備え、
前記左右のアームの長さ、厚さ、幅のいずれか１つ以上を異ならせることによって、前記係止解除突起の設けられたアームの反力よりも反対側アームの反力を弱めたこと。
また、本願発明はコネクタハウジングに挿入された端子を抜くために用いられる抜き治具にも関するもので、次ぎの（２）を特徴としている。
（２）前記コネクタハウジングの入口から前記係止解除突起にまで達する長さの挿入部と、前記挿入部と一体結合する把持部とから成ること。
【発明の効果】
【０００９】
（１）の構成によれば、ランスを両持ち支持にしたので、端子の係止力を高くすることができる。
（２）ランスの両側にあった係止解除突起を１個除去したので、従来製品より狭いピッチになり、コネクタの小型化が進む。
（３）ランスの両側の左右アームの一方の反力を弱めたので、１個の係止解除突起だけであってもランスをバランス良くに持ち上げることができるようになる。
（４）簡単な形状の抜き治具なので、安価で堅牢な抜き治具となる。
【図面の簡単な説明】
【００１０】
【図１】図１は、本発明が関係する３つの構成部品を説明する図で、図１（Ａ）は本発明に係るコネクタハウジング（メスハウジング）の正面図（１）と横断面斜視図（２）、図１（Ｂ）は公知の端子（メス端子）の斜視図、図１（Ｃ）は抜き治具の斜視図である。
【図２】図２（Ａ）（１）は図１（Ａ）（１）のコネクタハウジングの上下左右にある４つの端子収容室の上右の端子収容室に端子が挿入された状態を示す正面図、図２（Ａ）（２）は図２（Ａ）（１）のＡ−Ａ矢視断面図、図２（Ｂ）（２）は図２（Ａ）（２）のコネクタハウジングの側面図、図２（Ｂ）（１）は図２（Ｂ）（２）のＢ−Ｂ矢視断面図である。
【図３】図３は図１のコネクタハウジングに端子を挿入する過程を示す横断面斜視図で、図３（１）は挿入直後、図３（２）は挿入途中、図３（３）は挿入完了の図である。
【図４】図４は図１のコネクタハウジングに端子を挿入する過程を示す断面図で、図４（１）は挿入直後、図４（２）は挿入完了直前、図４（３）は挿入完了の図である。
【図５】図５はコネクタハウジングに挿入された端子をコネクタハウジングから抜き取るために抜き治具を挿入する過程を示す横断面斜視図で、図５（１）は抜き治具の挿入直後、図５（２）は抜き治具の挿入完了、図５（３）は端子の抜き取り開始をした直後の図である。
【図６】図６はコネクタハウジングに挿入された端子をコネクタハウジングから抜き取るために抜き治具を挿入する過程を示す断面図で、図６（１）は抜き治具の挿入直後、図６（２）は抜き治具の挿入完了、図６（３）は端子の抜き取り開始をした直後の図である。
【発明を実施するための形態】
【００１１】
以下に、本発明に係る実施例について、図１および図２に基づいて説明する。
図１（Ａ）（１）はコネクタハウジングの正面図、図１（Ａ）（２）はコネクタハウジングの横断面斜視図、図１（Ｂ）は端子の斜視図、図１（Ｃ）は抜き治具の斜視図であり、図２（Ａ）（１）は図１（Ａ）（１）のコネクタハウジングの上下左右にある４つの端子収容室の上右の端子収容室に端子が挿入された状態を示す正面図、図２（Ａ）（２）は図２（Ａ）（１）のＡ−Ａ矢視断面図、図２（Ｂ）（２）は図２（Ａ）（２）のコネクタハウジングの側面図、図２（Ｂ）（１）は図２（Ｂ）（２）のＢ−Ｂ矢視断面図である。
図１（Ａ）および図２において、コネクタハウジング１０のハウジング本体１０Ｈ内の端子収容室１０Ｃに端子２０が収容されて、コネクタとして使用される。
そして、端子収容室１０Ｃに収容された端子２０がそこから抜き出される必要があるとき、本発明に係る抜き治具３０を用いて端子２０を抜き出す。
そこで、本発明に係るコネクタハウジング１０、公知の端子２０、そして本発明に係る抜き治具３０について、以下にこの順で説明する。
【００１２】
〈コネクタハウジング１０〉
図１（Ａ）（１）および図２のコネクタハウジング１０は天井部１０Ｄと底部１０Ｂと上下の両部を繋ぐ左右側壁１０Ｌ、１０Ｒとから成る樹脂成型のハウジング本体１０Ｈと、このハウジング本体１０Ｈの外側上部に備えられて相手方コネクタハウジングと係合するロックアームとから成る（ただし、ロックアームは本発明にとっては直接関係ないので図示を省略している。）。ハウジング本体１０Ｈは、必要個数の端子収容室１０Ｃ（図では上下左右の４室）を長さ方向に備えている。
図１（Ａ）（２）は、図１（Ａ）（１）のハウジング本体１０Ｈの天井部１０Ｄをさらに除去した横断面であり、上段の２つの端子収容室１０Ｃの内部が見えるようにしている。図１（Ａ）において、ハウジング本体１０Ｈは合成樹脂成形から成る直方体をしており、ハウジング本体１０Ｈの長さ方向（端子挿入方向）に貫通した通路から成る次のような端子収容室１０Ｃが形成されている。
【００１３】
〈端子収容室１０Ｃ〉
図１（Ａ）におけるハウジング本体１０Ｈには、１階に左右の２室、２階に左右の２室の合計４室の端子収容室１０Ｃが形成されている。端子収容室１０Ｃ（図１（Ａ）（１））の内部は底部１０Ｆと、底部１０Ｆの左右両端（端子の挿入方向に対して横切る方向の両端）から垂直に立設する左右の側壁（左アーム１２Ｌ、右アーム１２Ｒを含む側壁）と、左側壁と右側壁の頂部同士を連結する天井部１０Ｄとから成っている。この端子収容室１０Ｃの中に、本発明に係るランス１１が次のように形成されている。
【００１４】
〈本発明に係るランス１１〉
図２（Ａ）（１）は図１（Ａ）（１）のコネクタハウジングの上下左右にある４つの端子収容室の上右の端子収容室に端子が挿入された状態を示す正面図、図２（Ａ）（２）は図２（Ａ）（１）のＡ−Ａ矢視断面図、図２（Ｂ）（２）は図２（Ａ）（２）のコネクタハウジングの側面図、図２（Ｂ）（１）は図２（Ｂ）（２）のＢ−Ｂ矢視断面図である。
図２（Ａ）（１）および（２）において、天井部１０Ｄの長さ方向途中から張出部１１Ｕが端子収容室１０Ｃ側に垂直に張り出しており、その張出部１１Ｕの先端から相手側端子が挿入される端子収容室１０Ｃの入口１０Ｅに向けて若干傾斜して延び途中から水平方向に延びるランス１１が設けられている。ランス１１の先端１１Ｓ（図２（Ａ）（２）参照）と入口１０Ｅ（図２（Ａ）（２）参照）との距離は、挿入された端子２０の箱部２１（図１（Ｂ）、図２（Ａ）（２）参照）の先端２１Ｓと後端にある係止端部２１Ｋ（図１（Ｂ）、図２（Ａ）（２）参照）との長さに等しい。
また、ランス１１は、用いられている樹脂材料の持つ弾性力によって、端子２０の挿入時には端子収容室１０Ｃの天井部１０Ｄ側に退避して端子２０の箱部２１を通過させ、箱部２１の通過後は復元力で常態に戻る。常態に戻ったとき、ランス１１の先端１１Ｓは、端子２０の箱部２１の後端の係止端部２１Ｋに係合している。
ランス１１の左右は、それぞれ左側壁の左アーム１２Ｌおよび右側壁の右アーム１２Ｒと一体であり、かつ、左アーム１２Ｌおよび右アーム１２Ｒは、それぞれ端子収容室１０Ｃの左側壁および右側壁において、その入口側の近傍からランス１１の張出部１１Ｕの直下近傍にまで水平に延びる細長い長孔１２Ｈをあけることにより、長孔１２Ｈの上方の壁部がアームを形成するようにしている。このように左右アーム１２Ｌ、１２Ｒの途中でランス１１の左右側がそれぞれ左右アーム１２Ｌ、１２Ｒと一体形成されているので、ランス１１は構造的に両持ち支持となり、片持ち支持と比べて撓み方向の反力が強く、端子係止力に優れている。したがって、端子がハウジング本体１０Ｈから抜けにくくなる。
【００１５】
〈本発明に係る係止解除突起１３〉
右の端子収容室１０Ｃ内のランス１１の右アーム１２Ｒとハウジング本体１０Ｈの右側面１０Ｒとの間、および、左の端子収容室１０Ｃ内のランス１１の右アーム１２Ｒと右のランス１１の左アーム１２Ｌとの間には、それぞれ抜き治具挿入空間１０Ｇが設けられている。そして、各ランス１１の先端１１Ｓ近傍の右アーム１２Ｒから抜き治具挿入空間１０Ｇに向けて本発明に係る係止解除突起１３が突出している。この係止解除突起１３が後述の抜き治具３０によって持ち上げられると、係止解除突起１３と一体のランス１１もいっしょに持ち上げられるようになる。
【００１６】
〈長さの異なる２つの長孔１２Ｈ〉
左アーム１２Ｌに設けられた長孔１２Ｈの水平方向の長さと右アーム１２Ｒに設けられた長孔１２Ｈの水平方向の長さは同じではない。本発明によって、係止解除突起１３が形成された側の右アームの長孔１２Ｈよりも反対側の左アーム１２Ｌの長孔１２Ｈの方が長さが長くなっている。すなわち、図１（Ａ）（２）において、端子収容室１０Ｃの入口１０から左アーム１２Ｌに設けられた長孔１２Ｈの端までの距離をＴＬとし、端子収容室１０Ｃの入口１０Ｅから右アーム１２Ｒに設けられた長孔１２Ｈの端までの距離をＴＲとすると、図からも分かるように、ＴＬ＜ＴＲとしている。
これによって、係止解除突起側の右アーム１２Ｒの反力に比べて反対側の左アーム１２Ｌの反力が弱くなり、抜き治具３０で係止解除突起１３を持ち上げて、これと一体の右アーム１２Ｒを持ち上げて変位させると、反力の弱い反対側の左アーム１２Ｌもこれに追従して変位するので、ランス１１の全体がバランス良く持ち上がるようになる。
したがって、ランス１１の両側に係止解除突起を設けた特許文献１のコネクタハウジングと比べて、本発明によれば、端子収容室につき１個の係止解除突起を省略できるので、コネクタの幅方向を小型化できるようになる。
上記実施例では右アーム１２Ｒに係止解除突起１３を設けたが、本発明はこれに限定されるものではなく、左アーム１２Ｌに係止解除突起１３を設けてももちろん構わない。
【００１７】
〈異なる長さの長孔の代替例１および２〉
（１）  上記では、係止解除突起１３が形成されたアーム側の長孔よりも反対側アームの長孔の長さを長くすることで、反対側アームの反力を弱めたが、これに代えて、反対側アームの長孔の高さを係止解除突起が形成された側の長孔の高さよりも高くすることで、反対側アームの上下方向の厚みを薄して、反対側アームの反力を弱めるようにしてもよい。
（２）  また、反対側アームの横幅を係止解除突起が形成された側のアームの横幅よりも狭めることで、反対側アームの反力を弱めるようにしてもよい。
【００１８】
〈端子〉
図１に戻って、図１（Ｂ）は端子２０の斜視図である。
端子２０は公知のものであり、導電性金属板をプレス成形することによって製造され、挿入方向先端から箱部２１、箱部２１と繋がる連結部２２、連結部２２と繋がる電線圧着部２３を備えて成る。
《箱部２１》
箱部２１は断面視略ロ字状の長尺体で、長尺体のロ字状の箱部２１の内部空間に箱部２１と一体の電気的接触片２１Ｃが配置されており、相手側オス端子がロ字状の内部空間に挿入されると相手側オス端子はこの電気的接触片２１Ｃ（図２(Ａ）（２））と接触し、相手側オスコネクタとコネクタハウジング１０との電気的接続が完成する。端子収容室１０Ｃ（図２（Ａ）（２））の入口１０Ｅからランス１１の先端１１Ｓまでの長さは、箱部２１の先端２１Ｓから後端の係止端部２１Ｋまでの長さに等しい。
《連結部２２》
連結部２２は、断面視半円をした樋（とい）状体で、箱部２１と電線圧着部２３との間を連結する部材である。連結部２２の上部にできる空間部に、常態に戻ったランス１１が入り込むようになる。
《電線圧着部２３》
電線圧着部２３は加締め片を備えており、加締め片を被覆電線Ｗの中心にある多数の芯線を加締めることで、電線圧着部２３と被覆電線Ｗの電線との電気的接続が完成する。
なお、図面では個々の芯線および加締め部は本発明にとって本質的な部分でないので、電線圧着部２３は概念的に描いている。
【００１９】
〈抜き治具３０〉
図１（Ｃ）は抜き治具３０の斜視図である。抜き治具３０は、先端にテーパ３１Ｔを有する挿入部３１と、挿入部３１の付け根部分と一体に形成された把持部３２とから成る。
挿入部３１の付け根からテーパ３１Ｔの開始部（厚幅部）までの長さは、端子収容室１０Ｃの入口から係止解除突起１３を過ぎるまでの長さとなっており、挿入部３１の幅は、右のランス１１の右側壁とハウジング本体１０Ｈの右側面１０Ｒとの抜き治具挿入空間１０Ｇの幅より狭くなっている。挿入部３１の高さは係止解除突起１３を持ち上げてランス１１と端子２０の係合が外れるようになる高さである。
【００２０】
〈端子挿入過程〉
次ぎに、コネクタハウジング１０の端子収容室１０Ｃに端子２０を挿入する過程を図３および図４を用いて説明する。
（１）《挿入直後》
図３（１）および図４（１）は挿入直後の横断面斜視図と縦断面図である。
ハウジング本体１０Ｈの端子収容室１０Ｃの後方から端子２０の箱部２１が挿入されて進むと、箱部２１はランス１１の張出部１１Ｕの近傍に接する。このとき、ランス１１はまだ常態のままである。
（２）《挿入途中》
図３（２）および図４（２）は挿入途中の横断面斜視図と縦断面図である。
端子２０の挿入がさらに進み、箱部２１の先端２１Ｓがランス１１の下方に接してランス１１を上方へ押し上げ、ランス１１を端子収容室１０Ｃから天井部１０Ｄ側に退避させてランス１１の下方を通過し（図３（２）参照）、さらに進んで挿入完了の直前でも（図４（２）参照）まだランス１１は退避した状態である。
（３）《挿入完了》
図３（３）および図４（３）は挿入完了の横断面斜視図と縦断面図である。
端子２０の箱部２１の後端の係止端部２１Ｋがランス１１の先端１１Ｓを通過した瞬間に、ランス１１は樹脂材料の弾性力（反力）で元の位置に復帰し、ランス１１の先端１１Ｓが端子２０の箱部２１の係止端部２１Ｋに係合し、挿入完了する。これ以後、端子２０はハウジング本体１０Ｈから抜け出ることが阻止される。
【００２１】
〈端子離脱過程〉
次ぎに、ハウジング本体２０Ｈから抜け出ることが阻止されている端子２０をスムーズに抜き出す過程を図５および図６を用いて説明する。
図５（１）および図６（１）は抜き治具３０の挿入直後の横断面斜視図と縦断面図である。なお、図６（１）は図２（Ａ）（２）の各ハウジング本体１０Ｈの１階の端子収容室１０Ｃに抜き治具３０を挿入させた図であり、ハウジング本体１０Ｈは図２（Ａ）（１）のＡ−Ａ矢視断面図である。したがって、図５ではハウジング本体１０Ｈの２階の端子収容室１０Ｃに抜き治具３０を挿入させているが、図６（１）のハウジング本体１０Ｈの２階の端子収容室１０Ｃには抜き治具３０は表れていない（ランス１１を通る縦断面図であるため）。そこで、２階の端子収容室１０Ｃのランス１１と端子２０の動作と、抜き治具３０と係止解除突起１３の動作を関連づけて表現するため、図６（１）では、１階の端子収容室１０Ｃに抜き治具３０を挿入する図を描いて、１階の抜き治具３０が抜き治具挿入空間１０Ｇに挿入され係止解除突起１３を持ち上げるときに、抜き治具３０と係止解除突起１３の向こう側にあるランス１１と端子２０とアーム１２がどのようになるのかが２階の端子収容室１０Ｃで分かる。すなわち、２階の抜き治具３０の動作を１階で表し、２階は２階のランスの動作をそのまま表している。
（１）《抜き治具３０の挿入直後》
さて、抜き治具３０の挿入部３１を、ハウジング本体１０Ｈの２階の端子収容室１０Ｃ（前述のようにこれを１階で表している。）の横に形成されている抜き治具挿入空間１０Ｇに、テーパ３１Ｔの尖端を下側にして挿入すると、挿入直後はまだ抜き治具３０の挿入部３１は係止解除突起１３に接触していないので、２階の端子収容室１０Ｃのランス１１は端子２０の箱部２１の係止端部２１Ｋに係合したままであり、まだ脱落防止が機能している。
（２）《抜き治具３０の挿入完了》
図５（２）および図６（２）は抜き治具３０の挿入完了の横断面斜視図と縦断面図である。２階の抜き治具３０（前述のようにこれを１階で表している。）の挿入がさらに進み、挿入完了すると、係止解除突起１３は上方に持ち上げられ、これと一体の右アーム１２Ｒ（２階の端子収容室を参照）も変形して持ち上がり、そして左アーム１２Ｌの反力は右アーム１２Ｒの反力よりも弱くなるように形成されているので右アーム１２Ｒの変形に追従して同じように左アーム１２Ｌも変形するため、ランス１１は水平状態で上方に持ち上げられる。これにより、端子２０は端子収容室１０Ｃから抜け出ることが可能となる。
（３）《抜き治具３０の挿入完了》
図５（３）および図６（３）は抜き治具３０の挿入完了の横断面斜視図と縦断面図である。ランス１１が水平状態で上方に持ち上げらたことにより、ランス１１は端子収容室１０Ｃから天井部１０Ｄ側に退避したので、端子２０の箱部２１はランス１１の下方を通過し、端子収容室１０Ｃからハウジング本体１０Ｈの外部へ抜け出ることができる。
【００２２】
〈まとめ〉
（１）このように本発明によれば、ランスを両持ち支持にしたので、端子の係止力を高くすることができる。
（２）ランスの両側にあった係止解除突起を１個除去したので、従来製品より狭いピッチになり、コネクタの小型化が進む。
（３）ランスの両側の左右アームの一方の反力を弱めたので、１個の係止解除突起だけであってもランスをバランスよく水平に持ち上げることができるようになる。
（４）抜き治具はきわめて簡単な形状のなので、安価で堅牢な抜き治具となる。
【符号の説明】
【００２３】
１０：コネクタハウジング
１０Ｃ：端子収容室
１０Ｄ：天井部
１０Ｅ：入口
１０Ｆ：底部
１０Ｈ：ハウジング本体
１１：ランス
１１Ｓ：ランス先端
１１Ｕ：張出部
１２Ｈ：長孔
１２Ｌ：左アーム
１２Ｒ：右アーム
１３：係止解除突起
２０：端子
２１：箱部
２１Ｃ：電気的接触片
２１Ｋ：係止端部
２１Ｓ：箱部先端
２２：連結部
２３：電線圧着部
３０：抜き治具
３１Ｔ：テーパ
３１：挿入部
３２：把持部
【図１】
0005775342.tif 000002
【図２】
0005775342.tif 000003
【図３】
0005775342.tif 000004
【図４】
0005775342.tif 000005
【図５】
0005775342.tif 000006
【図６】
0005775342.tif 000007